(57)【要約】      （修正有）【課題】ぬめり取り剤の収容及び／又は取り外しをワンタッチで達成でき、キャップの取り付け及び／又は取り外し（着脱自在）の簡易化と、ぬめり取り剤の確実な収容作業が図れる。【解決手段】鍔片を備えたストレーナ本体１と、ストレーナ本体の底部に膨出形成した上面に突条と小孔とを備えたチャンバー部と、チャンバー部の底部を開閉する把持片付きキャップとで構成した台所、風呂場、トイレ等の排水口用のストレーナである。ぬめり取り剤の収容及び／又は取り外しの簡易化、この収容等の作業をワンタッチで行える。【選択図】図１
0003110482.tif 000002
【実用新案登録請求の範囲】
【請求項１】
鍔片を備えたストレーナ本体と、このストレーナ本体の底部に膨出形成した天板面に突条と小孔とを備えたチャンバー部と、このチャンバー部の底部を開閉する底部に孔を備えた把持片付きキャップとで構成し、前記把持片が前記ストレーナ本体の底部より下方側に突出することを特徴とした台所、風呂場、トイレ等の排水口用のストレーナ。
【請求項２】
請求項１に記載したチャンバー部の立上り側面をテーパー形状とすることを特徴とした台所、風呂場、トイレ等の排水口用のストレーナ。
【請求項３】
請求項１に記載したキャップは、前記チャンバー部の底部に設けた螺子付き開口部に螺着される構成としたことを特徴とした台所、風呂場、トイレ等の排水口用のストレーナ。
【考案の詳細な説明】
【技術分野】
【０００１】
本考案は、台所、風呂場、トイレ等の排水口用のストレーナに関する。
【背景技術】
【０００２】
従来、台所、風呂場、トイレ等の排水口用（以下、原則として台所用とする）のぬめり取りは、次のような構造のものが市販されている。先ず、ストレーナ（水切り）にぬめり取り剤を入れたネットを吊下げする器具（構造）が知られている。しかし、この器具は、ネットがストレーナの底部に位置する関係から、このストレーナの全体のぬめりを取ることはかなり困難であり、実効性に難点がある。またこのネットは使用後に破棄することから、経済性に問題があること、また無駄であること、ゴミの発生と、この処理に手間を要すること、さらに環境に影響を与えること等の弊害が考えられる。またその他の環状の器具に、ぬめり取り剤を充填し、この環状の器具の周辺小孔より、ぬめり取り剤を拡散する構造が知られている。しかし、この器具は、ぬめり取り錠剤が小さく、有効期間及び／又は有効エリアー等が劣ることが考えられ、またその有効性に問題を残すこと、リサイクルができず前述と同様に経済性と、無駄であること、ゴミの発生と、この処理に手間を要すること、環境に影響を与えること等の弊害が考えられる。
【０００３】
これらの改良として、先行文献の中に数件の改良発明、考案と考えられるものが挙げられるので、以下説明する。文献（１）は特開２００４−３３２５１２の「排水口用ぬめり取り具およびぬめり取りフィルター」である。この発明は、台所等の排水口における雑菌やカビ等の代謝物によるぬめりや悪臭が発生する箇所に設け、ぬめりを除去したり、ぬめりの発生を防止したり、或いはぬめりを防除すること等を意図し、台所の排水口に装着、又は載置されるフィルターであって、このフィルターにはバスケット状のフィルターが着脱自在に設けられる構成であり、このフィルターにはぬめり取り具が収容される。従って、排水時にこのぬめり取り剤が希釈及び／又は拡散されることで、この排水口の底部及び／又は全体の雑菌やカビ等の代謝物によりぬめりや悪臭を回避し、常に清潔な環境維持と、ぬめり取り剤の容易な交換が図れる特徴がある。文献（２）は特開平８−１１４４号の「排水口ぬめり汚れ防止装置」である。この発明は、台所等の排水口に設けたトラップ部、及びこのトラップ部に設けた排水管でなるゴミ受け容器と、このゴミ受け容器の排水管の排水口に粘性を有するぬめり汚れの付着を防止するぬめり汚れ防止装置であって、前記排水口の近傍に、磁鉄鉱、バリウムフェライトを主成分として燒結された有機物分解性、イオン交換性を有する多孔質体からなる浄化体１４を配置してなる構成であり、排水口に設けた磁鉄鉱、バリウムフェライトを主成分として燒結された有機物分解性、イオン交換性を有する多孔質体からなる浄化体を配置し、この浄化体による蛋白質等の高分子の結合を分断する触媒的作用を有し、蛋白質や油脂類等の分解に対して効果を有することから、この排水口にぬめり汚れが付着することを有効に防止できること、また浄化体の形状及び／又は寸法を変更することで、洗面所以外にも様々な場所で使用可能となること、また容易に設置すること等の特徴がある。
【０００４】
【特許文献１】特開２００４−３３２５１２
【特許文献２】特開平８−１１４４号
【考案の開示】
【考案が解決しようとする課題】
【０００５】
文献（１）はぬめり取り剤の交換に関して、ぬめり取り剤を充填したぬめり取り具全体の取扱いが余儀なくされることから、取扱いが厄介である。例えば、このぬめり取り具が濡れている場合には、滑り易く取扱いに難渋すること、またいちいちぬめり取り剤と充填したぬめり取り具全体を取り付けることから、注意と手間を要すること等の改良点が考えられる。
【０００６】
また文献（２）は浄化体による蛋白質等の高分子の結合を分断する触媒的作用を利用することで、蛋白質や油脂類等の分解に対して有効に作用し、この排水口にぬめり汚れを回避できる特徴を有する。しかし、この浄化体は、磁鉄鉱、バリウムフェライトを主成分として燒結された有機物分解性、イオン交換性を有する多孔質体からなるので、材料の限定があること、また価格の高騰を惹起すること等の課題が考えられる。また市販のぬめり取り剤を使用することはできず汎用性に欠けることが考えられる。
【課題を解決するための手段】
【０００７】
請求項１の考案は、ぬめり取り剤の収容及び／又は取り外しの簡易化と、この作業をワンタッチで達成すること、またキャップの取り付け及び／又は取り外し（着脱自在）の簡易化と、ぬめり取り剤の確実な収容作業を図ること等を意図する。またこの請求項１の考案は、市販のぬめりとり剤の使用が可能な構成を提供し、利便性・汎用性の向上を図ることを意図する。殊に請求項１の考案は、ストレーナ本体を反転して（ひっくり返して）ゴミを廃棄しても、ぬめり取り剤の抜け落ちをなくし得ること、また鍔片におけるぬめりの発生をなくし、この鍔片を把持しても汚れが手に付着しない構成を提供すること等を意図する。
【０００８】
請求項１は、鍔片を備えたストレーナ本体と、このストレーナ本体の底部に膨出形成した天板面に突条と小孔とを備えたチャンバー部と、このチャンバー部の底部を開閉する底部に孔を備えた把持片付きキャップとで構成し、前記把持片が前記ストレーナ本体の底部より下方側に突出することを特徴とした台所、風呂場、トイレ等の排水口用のストレーナである。
【０００９】
請求項２の考案は、請求項１の目的を達成し、かつぬめり取り剤の効率的な拡散を図り、この目的を達成するのに最適なチャンバー部の構造を提供することを意図する。また請求項２の考案は、チャンバー部の立上り側面をテーパー形状とすることで、ゴミの滑りをよくし、ゴミ捨ての容易化を図ることを意図する。
【００１０】
請求項２は、請求項１に記載したチャンバー部の立上り側面をテーパー形状とすることを特徴とした台所、風呂場、トイレ等の排水口用のストレーナである。
【００１１】
請求項３の考案は、請求項１の目的を達成し、かつこの目的を達成するのに最適なキャップの構造を提供することを意図する。
【００１２】
請求項３は、請求項１に記載したキャップは、前記チャンバー部の底部に設けた螺子付き開口部に螺着される構成としたことを特徴とした台所、風呂場、トイレ等の排水口用のストレーナである。
【考案の効果】
【００１３】
請求項１の考案は、鍔片を備えたストレーナ本体と、ストレーナ本体の底部に膨出形成した天板面に突条と小孔とを備えたチャンバー部と、チャンバー部の底部を開閉する底部に孔を備えた把持片付きキャップとで構成し、把持片がストレーナ本体の底部より下方側に突出する台所、風呂場、トイレ等の排水口用のストレーナである。
【００１４】
従って、請求項１は、ぬめり取り剤の収容及び／又は取り外しの簡易化と、この作業をワンタッチで達成できること、またキャップの取り付け及び／又は取り外し（着脱自在）の簡易化と、ぬめり取り剤の確実な収容作業が図れること等の特徴がある。またこの請求項１の考案は、市販のぬめりとり剤の使用が可能な構成を提供し、利便性・汎用性の向上が図れる実益がある。さらに請求項１は、ストレーナ本体を反転して（ひっくり返して）ゴミを廃棄しても、ぬめり取り剤の抜け落ちがないこと、また鍔片におけるぬめりの発生をなくし、この鍔片を把持しても汚れが手に付着しない構成を提供できること等の特徴がある。
【００１５】
請求項２の考案は、請求項１に記載したチャンバー部の立上り側面をテーパー形状とする台所、風呂場、トイレ等の排水口用のストレーナである。
【００１６】
従って、請求項２は、請求項１の目的を達成できること、またぬめり取り剤の効率的な拡散を図り、この目的を達成するのに最適なチャンバー部の構造を提供できること等の特徴を有する。また請求項２は、チャンバー部の立上り側面をテーパー形状とすることで、ゴミの滑りをよくし、ゴミ捨ての容易化が図れる実益がある。
【００１７】
請求項４の考案は、請求項１の目的を達成し、かつこの目的を達成するのに最適なキャップの構造を提供することを意図する。
【００１８】
請求項３の考案は、請求項１に記載したキャップは、前記チャンバー部の底部に設けた螺子付き開口部に螺着される台所、風呂場、トイレ等の排水口用のストレーナである。
【００１９】
従って、請求項３は、請求項１の目的を達成できること、またこの目的を達成するのに最適なキャップの構造を提供できること等の特徴を有する。
【考案を実施するための最良の形態】
【００２０】
本考案の一例を説明する。
【００２１】
図面の説明をすると、図１は一部欠截の側面図、図２は平面図、図３は底面図、図４はキャップを裏面視した状態の拡大斜視図、図５はチャンバー部の拡大平面図、図６は使用状態の一例を示す模式図、図７は使用状態の他の一例（濾過材を使用しない一例）を示す模式図、図８はゴミ出しの一例を示す模式図である。
【００２２】
１は台所Ａの排水口Ａ１に設けた略環状、角状等であって、下方に向かって絞り込んだ略倒山形形状のストレーナ本体で、このストレーナ本体１は開口部１００の周辺に形成した鍔片１０１と、下方に向かって絞り込んだ略倒山形形状（倒テーパー形状）の立上り側面１０２と、略環状、角状等でなる底部１０３を有する。またこの立上り側面１０２には水切り用のスリット２が多数開設されている。そして、この底部１０３には上方に向かって絞り込んだ略山形のチャンバー部３を有する。このチャンバー部３は天板面３００と、上方に向かって絞り込んだ略山形形状（テーパー形状）の立上り側面３０１と、略環状、角状等でなる開口部３０２を有する。この天板面３００には数条の突条３００ａと、突条３００ａ間に設けた多数個の小孔３００ｂを形成し、当該天板面３００へのゴミの堆積回避と、適宜の透水を図り、ぬめり取り剤への接触及び／又は拡散に役立てる。この突条３００ａ及び／又は小孔３００ｂは必要により形成される。また立上り側面３０１には水切り用のスリット４が多数開設されている。
【００２３】
５は前記チャンバー部３の開口部３０２に装着されるキャップで、このキャップ５には把持片５００が設けられており、この把持片５００を利用し、前記開口部３０２への取り付けと、その取り外しを図る。このキャップ５の外周面に螺子（図示せず）を形成し、この螺子を、前記チャンバー部３の開口部３０２に形成した螺子（図示せず）に螺着する構成が理想であり、確実かつ簡易に装着できる特徴がある。このキャップ５を介してぬめり取り剤７をチャンバー部３内に収容する一例を説明すると、ストレーナ本体１を排水口Ａ１より取り外し（取り出し）た後、このストレーナ本体１をひっくり返し、チャンバー部３の開口部３０２より把持片５００を把持し、キャップ５を螺戻して開放した状態で、このキャップ５に新しいぬめり取り剤７を収容する。その後、チャンバー部３の開口部３０２にキャップ５を螺着することで、簡易かつスムーズに収容できる。そして、このストレーナ本体１を排水口Ａ１に収めることで、一連の作業は終了し、かつ手を汚すことなく、ぬめり取り剤７の収容が図れる。またぬめり取り剤７の交換も同様である。さらにゴミ捨ての場合は、前述のストレーナ本体１の取り外し、ひっくり返しで、手を汚すことなく、簡易かつスムーズに行えるので、重宝する。尚、このキャップ５の開口部３０２の装着は、圧入、ロック機構、係止等の構成も可能である。
【００２４】
本考案の使用の方法の一例を示しと、前述の如く、キャップ５の装着でチャンバー部３内に収容されたぬめり取り剤７は、チャンバー部３のスリット４及び／又は小孔３００ｂより入れ汚水で希釈され、その溶剤が拡散されることで、ストレーナ本体１のぬめりを防止できること、また悪臭の発生を抑制できること等の効果が図れること、又は清潔感が確保できること等の特徴がある。そして、本考案では、チャンバー部３の天板面３００に小孔３００ｂを形成する構成であり、流下する汚水による希釈及び／又は拡散を介して効果の拡充と、ぬめり取り剤７の無駄な希釈及び／又は拡散を回避できる利点がある。またキャップ５の孔５０１を利用し、このキャップ５の装着時のぬめり取り剤７の保持と、このぬめり取り剤７の下面の湿潤を回避及び／又は汚水の流れを確保し、その消耗を少なくすること、また乾燥の効率化を達成すること、或いはぬめり取り剤７の拡散を図ること等を意図する。また本考案では、チャンバー部３の立上り側面３０１のテーパー形状を利用して、ぬめり取り剤７の効率的な希釈及び／又は拡散が図れる特徴がある。
【００２５】
図中８はストレーナ本体１内に設けた濾布、濾紙、フィルター等の濾過材を示す。しかし、本考案では、前述の如く、ストレーナ本体１及び／又はチャンバー部３の構成は、ゴミの絡み付き及び／又は引っ掛かりが少ないことから、濾過材８を使用しなくても簡易かつワンタッチでゴミ捨てが可能となり重宝する。
【図面の簡単な説明】
【００２６】
【図１】図１は一部欠截の側面図
【図２】図２は平面図
【図３】図３は底面図
【図４】図４はキャップを裏面視した状態の拡大斜視図
【図５】図５はチャンバー部の拡大平面図
【図６】図６は使用状態の一例を示す模式図
【図７】図７は使用状態の他の一例を示す模式図
【図８】図８はゴミ出しの一例を示す模式図
【符号の説明】
【００２７】
１            ストレーナ本体
１００        開口部
１０１        鍔片
１０２        立上り側面
１０３        底部
２            スリット
３            チャンバー部
３００        天板面
３００ａ      突条
３００ｂ      小孔
３０１        立上り側面
３０２        開口部
４            スリット
５            キャップ
５００        把持片
５０１        孔
７            ぬめり取り剤
８            濾過材
Ａ            台所
Ａ１          排水口
【図１】
0003110482.tif 000003
【図２】
0003110482.tif 000004
【図３】
0003110482.tif 000005
【図４】
0003110482.tif 000006
【図５】
0003110482.tif 000007
【図６】
0003110482.tif 000008
【図７】
0003110482.tif 000009
【図８】
0003110482.tif 000010